(57)【要約】【課題】カメラ付き携帯電話機において、より広範な撮影機能を求めて撮影レンズの望遠系やズームレンズを搭載しようとした場合鏡筒が長くなり、外装表面より突出して携帯性を損ねることになる。【解決手段】折畳閉状態及び伸展開状態が可能なヒンジ機構を持つ二つ折れ式のカメラ付き携帯電話機において、撮影レンズ鏡筒３が閉時にはカメラ機能を搭載する方の表示部筐体２の背面２ｂより沈胴し、開時には背面２ｂより突出顕現させ、撮影可能となるようにし、これらの動作手段はヒンジ軸４を中心とする本体の操作部筐体１と表示部筐体２の開閉操作手段によって得られる構造によって解決した。【選択図】図１
2005073217.tif 000002
【特許請求の範囲】
【請求項１】
表示部筐体と操作部筐体に分れ、両筐体を繋ぐヒンジ機構の軸を中心に前記両部表面を内側にして、折畳閉状態及び伸展開状態が可能な二つ折れ式のカメラ付き携帯電話機において、当該カメラ付き携帯電話機の閉時は背面から沈胴し、開時には背面から突出する撮影レンズの鏡筒を有し、当該撮影レンズの鏡筒が前記カメラ付き携帯電話機の背面から沈胴及び突出する作動手段は前記ヒンジ軸を中心とする前記表示部筐体と操作部筐体の開閉操作手段によるものであり、前記作動手段は前記開閉操作に連動するヒンジ機構によって可能にしたことを特徴とするカメラ付き携帯電話機。
【請求項２】
カメラ付き携帯電話機の表示部筐体と操作部筐体を繋ぐヒンジ機構において、軸を把持するために前記両筐体から延出して交叉する両軸受けのうち、前記カメラ付き携帯電話のレンズ鏡筒を設置しない方の円形軸受けの一部が歯車に形成されていて、当該歯車はレンズ鏡筒を設置する筐体内に設けた連動歯車と歯合し、前記カメラ付き携帯電話機の開閉操作によって得られる該連動歯車の回転及び連結部材の回転動作で前記レンズ鏡筒を光軸に平行移動せしめることにより、前記カメラ付き携帯電話機背面より沈胴及び突出を可能にする機構を搭載したことを特徴とする請求項１記載のカメラ付き携帯電話機。
【発明の詳細な説明】
【技術分野】
【０００１】  本発明は、無線通話を目的に、携帯性を高めた二つ折れ式携帯電話機で、特にカメラ付き携帯電話機機に関する。
【背景技術】
【０００２】  最近の携帯電話の普及はすさまじく、また技術的進歩も極めて大きい。いまや音声伝達手段に留まらず、これに加えた画像伝達手段に移行しつつあり、これら画像伝達には静止画のみならず動画信号まで送受信可能となってきている。これらを携帯電話にて可能にした背景には画像をイメージャーで受け、信号変換し記録媒体に記録するカメラ機能を内蔵したことによるもので、このカメラ付き携帯電話機が一段と普及しつつある現状にある。【０００３】  このカメラ機能に注視してみるとき、これも従来カメラ同様、より広範な撮影機能を求め発展することは容易に推察できる。特に撮影レンズにおいて、広角から望遠に至る広域画像を求めて高度化することは必然であり、これもズーミング可能なレンズを搭載することが求められる。しかし従来カメラ同様、ズームレンズの高倍率化に比例して鏡筒の長さが長くなり、これを携帯電話機に搭載する場合、撮影レンズが携帯電話機の外装表面より突出することになり、携帯性を損なうという欠点があった。【０００４】  一般コンパクトカメラに採用している方式として、撮影しない時には撮影レンズ鏡筒を本体に収納することによってカメラ外装表面を可能な限り平面化し、撮影時は撮影レンズ鏡筒が突出して、所望の画角が得られ同時に正規の撮影が可能な状態に復する所謂、沈胴方式コンパクトカメラが製品化されていることから、前記欠点を解消する方法としてこの機能をカメラ付き携帯電話機にも応用することが要求されている。
【特許文献１】特許番号  第２６３０３９５号公報
【発明の開示】
【発明が解決しようとする課題】
【０００５】  従来の沈胴式コンパクトカメラの沈胴或いは突出動作手段はカメラのパワー電池からの電流によるモータの回転動力手段によるものであるが、通話を主体とし、可能な限り小型で、使用時間の長時間化が要求される携帯電話機の電池ではモータ動力に対して容量不足でもあり、比較的パワーの必要な機械動力用に使用することは極力、避けなければならない課題がある。
【課題を解決するための手段】
【０００６】  本発明は折畳閉状態及び伸展開状態を可能にするヒンジ機構を持つ二つ折れ式のカメラ付き携帯電話機において、撮影レンズの鏡筒が閉時は前記携帯電話機の背面から沈胴して携帯性を高め、開時には突出顕現させることによって撮影可能状態にする形態にし、該撮影レンズの鏡筒が携帯電話機の背面から沈胴及び突出する作動手段は前記ヒンジの軸を中心にした本体の開閉操作手段によって可能にする機構を搭載し、解決を図った。
【発明の効果】
【０００７】  本発明のカメラ付き携帯電話機は使用しない本体の折畳閉状態では撮影レンズ鏡筒が沈胴していて、ポケットやバッグへの収納に支障がなく、通話或いはカメラ撮影準備状態の伸展開状態にすると背面から撮影レンズが突出顕現する構造であるため、比較的ニーズに応じた自由なレンズが搭載可能となり、しかも従来と変わらない大きさで提供することが可能な特徴を有し、特に本体背面の撮影レンズ鏡筒の隠見動作は使用者による本体の開閉操作で可能にしたため電池消耗の心配が無い利点がある。
【発明を実施するための最良の形態】
【０００８】  二つ折れ式カメラ付き携帯電話機の本体の表示部筐体と操作部筐体を繋ぐヒンジ機構において、撮影レンズ鏡筒を設置しない方の筐体のヒンジ軸受けの一部が歯車に形成されていて、撮影レンズ鏡筒を設置する筐体に内蔵する連動歯車と歯合させることにより、該携帯電話機の開閉操作によって得られる当該連動歯車の回転動力で前記撮影レンズ鏡筒の沈胴及び突出動作を可能にしたことを特徴とするカメラ付き携帯電話機を提供する。
【実施例１】
【０００９】  図１は、本発明のカメラ付き携帯電話機の１実施例を示す本体側面図で、折畳閉動作で撮影レンズ鏡筒が沈胴し、伸展開動作で突出する状態を示したもので、図２はヒンジ軸を中心とする機構の拡大斜視図である。図において同じ部材は同じ符号で示す。【００１０】  図１に示すように現行カメラ付き携帯電話機おいては本体を操作部筐体１と表示部筐体２に分け、操作部面１ａと表示部面２ａが内側になるようヒンジ軸４を中心に折畳むことが可能な形式を採用し携帯性を高めていて、どちらかの筐体背面に撮影レンズを設置し、その光軸を中心にした内側焦点面に画像を捉えるイメージャー１０を設置した構成が一般的である。【００１１】  このカメラ付き携帯電話機において撮影レンズを望遠系及び高倍率のズーム系を採用した場合、イメージャー１０の位置からから撮影レンズを保持する鏡筒３の先端までの距離が増え、本体背面から突出してしまうことから、本発明は図１に示すように本体を折り畳んで使用しない閉状態（ヒンジ軸４を上にして折り畳んだ下の図）では撮影レンズ鏡筒３が筐体の内側に収納される、所謂沈胴させることにより、背面からの出っ張りを無くし、次に本体を伸展させた開状態（ヒンジ軸４を中心に広げた上の図）にする通話或いはカメラ撮影可能状態にした場合は撮影レンズ鏡筒３が突出するカメラ付き携帯電話機を提案したものである。【００１２】  次に本体の折畳閉動作と伸展開動作によって撮影レンズ鏡筒３が沈胴及び突出動作する連動機構の一実施例を図２に従って述べると、図２は本体を伸展開状態にしたヒンジ軸４を中心に部分的拡大斜視図で、ヒンジ機構は操作部筐体１から延出した３つの円筒形軸受け１１、１２及び１３と表示部筐体２から延出した２つの円筒形軸受け２１と２２を交互に交叉させる状態でヒンジ軸４を貫通させ、それぞれがヒンジ軸４を把持する形で構成している。これにより操作部筐体１と表示部筐体２がヒンジ軸４を中心に結合した状態を維持しながら、開閉作動が可能なヒンジ機構を構成している。【００１３】  このヒンジ機構には図２に示すように撮影レンズ鏡筒３を設置しない方の操作部筐体１の軸受け１１、１２及び１３のうちの一つ（図２の例では軸受け１２）の円筒形外周の一部に帯状の歯車１２ａが形成されていて、これが撮影レンズ鏡筒３が設置されている方の表示部筐体２に内蔵する連動歯車Ａ７と歯合する形態を採っている。このため操作部筐体１に対して表示部筐体２をヒンジ軸４中心に開閉動作することにより、この開閉動力が連動歯車Ａ７の回転動力に変換される。【００１４】  表示部筐体２の背面２ｂに設置する撮影レンズ鏡筒３は背面２ｂに固定されている固定筒５の内側で支持され、回転及び光軸方向移動が可能となっている。固定筒５には図のようなカム溝５ａが穿削されていて、撮影レンズ鏡筒３の外周面に植設されているピン６の頭部が固定筒５の外周面から若干突出するように嵌挿されている。更に固定筒５の上には内側に光軸平行の直線キー溝９ｂを有する回転筒９が重ねて嵌入されていて、撮影レンズ鏡筒３のピン６の頭部が直線キー溝９ｂに嵌挿する状態を保ちながら、固定筒５に対して回転方向のみ滑動可能な構造となっている。また回転筒９の形状は内側に直線キー溝９ｂが形成されているほか、外周が傘歯車Ｂ９ａが形成されて一体化している。【００１５】  表示部筐体２の内部には連動歯車Ａ７と歯合する連動歯車Ｂ８が在り、片面には回転運動を９０度変換するための傘歯車Ａ８ａが形成され一体となっている。この傘歯車Ａ８ａと回転筒９の傘歯車Ｂ９ａが直交する形で歯合ししているため、表示部筐体２がヒンジ軸４を中心に開閉操作することにより、操作部筐体１の軸受け１２の歯車１２ａに対して、歯合している連動歯車Ａ７が転がり、これに連動して連動歯車Ｂ８が回動し、回転筒９を回動せしめることが可能となる。【００１６】  いま撮影レンズ鏡筒３が表示部筐体２の背面２ｂから沈胴している折畳閉状態から、本体を伸展開状態に操作した場合の動作について述べると、表示部筐体２内部の各部材が図２に示す矢印方向に移動する。すなわち連動歯車Ａ７は操作部筐体１と表示部筐体２との開角度に合わせて矢印方向の左回転し、これに歯合している連動歯車Ｂ８が同時に矢印方向の右回転として伝達される。このため連動歯車Ｂ８の傘歯車Ａ８ａと直交状態で歯合している傘歯車Ｂ９ａは矢印の左方向に回転に変換され、回転筒９を矢印方向に回動させることになる。【００１７】  回転筒９を矢印方向に回転させることは内側のキー溝に嵌挿している撮影レンズ鏡筒３のピン６を同一方向に移動して行くことになるが、撮影レンズ鏡筒３と回転筒９の間に回転しない固定筒５が介在するため、固定筒５のカム溝５ａに貫通しているピン６はカム溝５ａの形状に沿って移動することになる。図２に示す形状の場合、回転筒９の左方向回転によって、ピン６は同一左方向に回転しながら回転筒９の直線キー溝９ｂに従って前方に移動していくことになるが、このピン６の移動は植設している撮影レンズ鏡筒３の移動にほかならず、撮影レンズ鏡筒３は矢印方向の左回転しながら矢印の前方に移動することになり、表示部筐体２の背面２ｂから突出顕現することになる。【００１８】  操作部筐体１と表示部筐体２をヒンジ軸４中心に伸展開状態及び折畳閉状態にする操作終端位置では図示しないクリックストップがあり、閉位置のクリックストップで撮影レンズ鏡筒３が表示部筐体２内に収納される沈胴を完了させ、開位置のクリックストップで撮影レンズ鏡筒３が背面２ｂからの突出が完了し、撮影可能状態になるようになっている。撮影レンズ鏡筒３がズームレンズである場合は撮影レンズ鏡筒３を突出させた後、内部の複数のレンズ群の間隔を調整してズーム比を変える機構を付加することは従来のズームレンズ付き一般カメラと同様である。いずれも代表する撮影レンズ鏡筒３を沈胴構造にすることにより目的が達成できる上、使用者による携帯電話機の開閉と言う必然操作だけで沈胴、突出動作が可能となることで、技術的価値が付加され、商品の可能性が拡大する。
【産業上の利用可能性】
【００１９】  ヒンジ機構に付加する簡単な構造で可能となり、電池などの特別な駆動源が必要としないことから、本発明のようなレンズの隠見動作のみにとどまらず他部材の移動動作に応用でき、産業上の利用可能性は極めて大きい。
【図面の簡単な説明】
【００２０】
【図１】カメラ付き携帯電話機の開閉操作で撮影レンズが突出及び沈胴する動作の説明図である。
【図２】カメラ付き携帯電話機の開閉操作で撮影レンズが突出及び沈胴する機構の実施方法を示した説明図である。
【符号の説明】
【００２０】  １    操作部筐体
２    表示部筐体
３    撮影レンズ鏡筒
４    ヒンジ軸
５    固定筒
６    ピン
７    連動歯車Ａ
８    連動歯車Ｂ
９    回転筒
１０    イメージャー
１１、１２、１３  軸受け
２１、２２        軸受け
【図１】
2005073217.tif 000003
【図２】
2005073217.tif 000004